(57)【要約】【課題】  簡素な構成にて確実に照明灯の受電用端子ピンをソケットに取り付けることができ、接触不良による不都合を未然に回避することができるショーケースを提供する。【解決手段】  両端部に受電用の端子ピン１４Ａを有する照明灯１４を、一対のクリップ２３により棚８下面に取り付けて成るショーケース１において、照明灯１４の両端にそれぞれ装着されて端子ピン１４Ａに電気的に接続される一対のソケット２２を備え、各ソケット２２は、クリップ２３が着脱自在に係合可能な形状の係合部２７を有すると共に、各クリップ２３は、棚８下面の所定位置に取り付けられ、各ソケット２２が照明灯１４の各端子ピン１４Ａにそれぞれ正常に接続された状態で、各クリップ２３が、各ソケット２２の係合部２７に係合可能となる。【選択図】図３
2007215572.tif 000002
【特許請求の範囲】
【請求項１】
両端部に受電用の端子ピンを有する照明灯を、一対のクリップにより本体に取り付けて成るショーケースにおいて、
前記照明灯の両端にそれぞれ装着されて前記端子ピンに電気的に接続される一対の給電用ソケットを備え、
各ソケットは、前記クリップが着脱自在に係合可能な形状の係合部を有すると共に、
前記各クリップは、前記本体の所定位置に取り付けられ、前記各給電用ソケットが前記照明灯の各端子ピンにそれぞれ正常に接続された状態で、前記各クリップが、前記各給電用ソケットの係合部に係合可能となることを特徴とするショーケース。
【発明の詳細な説明】
【技術分野】
【０００１】
本発明は、陳列室内やショーケース前方を照明するために設けられる照明灯、特に、端部に端子を有する照明灯を設けて成るショーケースに関するものである。
【背景技術】
【０００２】
従来よりスーパーマーケットやコンビニエンスストアなどに設置されるショーケースは、本体内に形成される陳列室内に当該陳列室内やショーケース前方等を照明するための照明灯が取り付けられている。照明灯は、陳列室の天井面前部に位置するキャノピー下面や、棚が複数段架設されている場合には、当該棚下面前部に位置して取り付けられている。照明灯としては一般に蛍光灯などが用いられるため、経年劣化に伴い交換作業が必要とされる。
【０００３】
各照明灯は、給電線が接続されたソケットを介して機械室内に設置される電源に電気的に接続される。ソケットを介して給電線に電気的に接続された照明灯は、棚下面や陳列室天井面、若しくはキャノピーに固定されたクリップなどに挟持させることで、固定されていた。特に、ショーケース内を冷却して用いる低温ショーケースなどにおいては、蛍光灯等の照明灯の温度依存性による照度低下の抑制や照明灯の熱による陳列室内への悪影響を抑制するため、照明灯の周囲を囲繞する保温筒が取り付けられる。この場合には、照明灯の一端にソケットが取り付けられた後、保温筒を照明灯の周囲を囲繞するように取り付け、照明灯の他端にソケットを取り付ける。そして、本体側に取り付けられたクリップは、照明灯が取り付けられた保温筒を挟持することで、照明灯が本体に固定される（特許文献１参照）。
【特許文献１】特開平７−１４３９２８号公報
【発明の開示】
【発明が解決しようとする課題】
【０００４】
上述した場合において、照明灯の受電用の端子ピンは、照明灯がソケットにはめ込まれることで、ソケット内に設けられる充電部に電気的に接続される。また、ソケットの充電部に接続される給電線は、照明灯の脱着の作業性を考慮して、給電線に所定の弛みを保たせた状態でソケット近傍の給電線が照明灯の取付箇所の近傍に固定されている。そのため、ソケットは、照明灯の端部にフリーの状態で取り付けられることとなり、繰り返し用いられることで、ソケットと照明灯の係合力が低下した場合には、ソケットが照明灯の端部から外れやすくなり、受電用端子ピンとソケット側の充電部との接触不良が発生する問題があった。また、作業者によっては、ソケットを照明灯の端部に十分に、且つ、確実に行われないことがあり、係る場合においても、受電用端子ピンとソケット側の充電部との接触不良が発生する問題があった。
【０００５】
このような接触不良は、照明灯の点灯が確実に行われないという不都合を招来し、場合によっては、受電用端子ピンが異常な温度にまで上昇し、当該端子ピンやソケットが焼損する恐れがあった。
【０００６】
また、このような受電用端子ピンがソケット側の充電部に確実に接続されているか否かは、一般に、電子安定器の接触不良検知により行われていた。
【０００７】
そこで、本発明は従来の技術的課題を解決するためになされたものであり、簡素な構成にて確実に照明灯の受電用端子ピンをソケットに取り付けることができ、接触不良による不都合を未然に回避することができるショーケースを提供する。
【課題を解決するための手段】
【０００８】
本発明のショーケースは、両端部に受電用の端子ピンを有する照明灯を、一対のクリップにより本体に取り付けて成るものであって、照明灯の両端にそれぞれ装着されて端子ピンに電気的に接続される一対の給電用ソケットを備え、各ソケットは、クリップが着脱自在に係合可能な形状の係合部を有すると共に、各クリップは、本体の所定位置に取り付けられ、各給電用ソケットが照明灯の各端子ピンにそれぞれ正常に接続された状態で、各クリップが、各給電用ソケットの係合部に係合可能となることを特徴とする。
【発明の効果】
【０００９】
発明によれば、両端部に受電用の端子ピンを有する照明灯を、一対のクリップにより本体に取り付けて成るショーケースにおいて、照明灯の両端にそれぞれ装着されて端子ピンに電気的に接続される一対の給電用ソケットを備え、各ソケットは、クリップが着脱自在に係合可能な形状の係合部を有すると共に、各クリップは、本体の所定位置に取り付けられ、各給電用ソケットが照明灯の各端子ピンにそれぞれ正常に接続された状態で、各クリップが、各給電用ソケットの係合部に係合可能となるため、照明灯の端子ピンが給電用ソケットに正常に取り付けられていない場合には、クリップによるソケットの保持ができないこととなり、作業者に適切に照明灯の端子ピンが装着されていないこと認識させることができる。従って、正常に給電用ソケットに照明灯の端子ピンを装着することを促すことができ、確実に照明灯の端子ピンを給電用ソケットに取り付けた状態で照明灯の取付を行うことが可能となる。
【００１０】
照明灯の端子ピンと給電用ソケットの接触不良を未然に回避することができるようになり、照明灯の点灯が確実に行われないという不都合や、受電用端子ピンが異常な温度にまで上昇し、当該端子ピンやソケットが焼損してしまう不都合を回避することができるようになる。
【発明を実施するための最良の形態】
【００１１】
以下、本発明を適用したショーケースについて図を参照して説明する。図１は本発明のショーケースの実施例としての低温ショーケース１の斜視図、図２は低温ショーケース１の概略縦断側面図、図３は照明灯１４の各取付部材の斜視図、図４は照明灯１４の取付状態を示す正面図、図５は照明灯１４の取付状態を示す平面図、図６は照明灯１４の取付状態を示す側面図、図７はクリップ２３の断面図、図８はクリップ２３の正面図、図９はクリップ２３の平面図を示している。
【００１２】
低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板６及び底板７が取り付けられ、これらの内側に前面に開口した陳列室５が構成されると共に、これらと断熱壁２との間に一連のダクト９が構成されている。
【００１３】
そして、このダクト９は陳列室５の開口上縁にて開口する吐出口１０と、開口下縁にて開口する吸込口１１に連通すると共に、背面のダクト９には冷却装置Ｒに含まれる冷却器１２が縦設され、底板７下方のダクト９内には送風機１３が設置される。
【００１４】
陳列室５内には、上下に渡って複数段の棚８・・が架設される。この棚８は、左右に取り付けられるブラケット６５、６５により、陳列室５内に設けられる支柱６４に保持される。この棚８の前端には、プライスレール８Ａが取り付けられている。
【００１５】
そして、当該棚８の下面には、詳細は後述する如く給電用ソケット２２及びクリップ２３により下側に架設される棚８上の商品や、陳列室５前方を照明するための照明灯１４が着脱自在に取り付けられている。
【００１６】
また、断熱壁２の前面開口の上縁には、吐出口１０の前側に位置してキャノピー１５が設けられ、当該キャノピー１５の下部には、陳列室８内や陳列室８周辺を上部から照明するための照明灯１６がソケット２２を介して着脱自在に取り付けられている。尚、当該照明灯１４、１６は、端部に受電用の端子１４Ａを備え、充電部からの給電により点灯可能とするものであり、例えば、蛍光灯、ＬＥＤなどであるものとする。
【００１７】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００１８】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００１９】
次に、図３乃至図９を参照して本発明に係る照明灯１４の取付機構について説明する。本実施例における照明灯１４は、両端に受電用の端子ピン１４Ａ、１４Ａを有し、長手方向に延在して構成されるものである。照明灯１４は、一対の給電用ソケット２２と、当該ソケット２２を本体側、本実施例では棚８下面に取り付ける一対のクリップ２３とにより棚８下面に着脱自在に取り付けられる。
【００２０】
ソケット２２は、硬質合成樹脂にて形成されており、照明灯１４の端部に装着される保持部２５と、当該保持部２５の外縁から外方に張り出して形成される鍔部２６と、当該鍔部２６の外側に位置して形成される係合部２７とから構成される。
【００２１】
保持部２５は、照明灯１４の端部を囲繞する円筒状に形成されており、当該円筒内径寸法は、照明灯１４の端部を進入可能とすると共に、略きっちりと係合可能とするものであり、当該円筒外径寸法は、保温筒３０の内径と略きっちりと係合可能なものとする。
【００２２】
ここで、保温筒３０とは、照明灯１４の長手方向に渡って周囲を囲繞する硬質合成樹脂製の透明な円筒部材であり、照明灯１４と陳列室５内との熱切りの機能を有するものである。即ち、照明灯１４の熱が陳列室５内の商品に悪影響を及ぼすのを防止すると共に、当該陳列室５内の冷気によって、照明灯１４自体が冷却され、照度が低下してしまうのを防止するものである。
【００２３】
鍔部２６の外側に位置して形成される係合部２７は、内部に図示しない充電部としての給電接片が収容されており、この給電接片は、保持部２５から進入した照明灯１４の端子ピン１４Ａと電気的に接続可能とされる。そして、この給電接片に接続される給電線２８は、当該係合部２７の上面より外部に引き出されている。
【００２４】
また、本実施例における接合部２７の外形は、下部が断面略円形状を呈していると共に、上部が下部の略円形の直径よりも小さい矩形状を呈しており、これらが連続して構成されることで、中程においてくびれを有する形状とされている。尚、当該くびれは後述するクリップ２３が着脱自在に係合可能な形状とされている。
【００２５】
他方、クリップ２３は、固定部３１と、弾性を有する挟持部３２とが一体に構成されている。固定部３１は、照明灯１４の取付面、即ち、棚８下面やキャノピー１５の取付面に対し、略水平に構成されており、当該固定部３１には、複数の取付孔３１Ａが形成されている。
【００２６】
そして、挟持部３２は、図７に示されるように固定部３１の外方側に位置する端部の前端及び後端から垂下して形成される二つの挟持片３２Ａ、３２Ａにより構成されている。これら挟持片３２Ａ、３２Ａは、中程に位置して互いに離間する方向に折曲された後、互いに近接する方向に折曲され、当該下端が再び互いが離間する方向に折曲形成されている。これにより、当該挟持部３２は、これら挟持片３２Ａ、３２Ａが常に内方に付勢力が働く構成とすることができ、挟持片３２Ａ、３２Ａ間には、係合部２７を係脱自在に係止可能とする係合部保持空間が形成されている。
【００２７】
上述した如きクリップ２３は、予め照明灯１４の取付位置、即ち、棚８下面にネジなどにより固定されている。ここで、当該クリップ２３は、挟持部３２が照明灯１４の両端に設けられる受電用の端子ピン１４Ａ、１４Ａが正常に電気的に接続された状態の各ソケット２２、２２の係合部２７、２７の位置に来るように、予め設定された取付位置にそれぞれ固定されるものとする。
【００２８】
以上の構成により、照明灯１４の取付方法について説明する。先ず初めに、照明灯１４の両端にソケット２２の保持部２５を装着する。このとき、照明灯１４の受電用の端子ピン１４Ａは、保持部２５の外方に形成される係合部２７内に進入し、当該係合部２７内に取り付けられる給電接片と電気的に接続される。
【００２９】
また、当該保持部２５の内径寸法は、照明灯１４を略きっちりと保持可能な寸法に構成されているため、当該保持部２５内に照明灯１４が装着されることで、ソケット２２は、該照明灯１４端部に保持されることとなる。
【００３０】
尚、一方のソケット２２が照明灯１４に取り付けられた状態で、未だソケット２２が取り付けられていない照明灯１４の端部側から、保温筒３０を取り付ける。この場合に、ソケット２２の保持部２５は、外径が保温筒３０の内径寸法よりも少許小さく形成されているため、保温筒３０の端部内に入り込むかたちとなって、保温筒３０をソケット２２にて保持することが可能となる。また、係る場合において、保温筒３０の端部は、当該保持部２５の外縁から外方に張り出した鍔部２６に当接するまで、挿入可能とされる。
【００３１】
その後、保温筒３０が一方のソケット２２に保持された状態で、照明灯１４の他端及び保温筒３０の他端にもう一方のソケット２２を同様に取り付ける。これにより、照明灯１４の両端部に設けられる端子ピン１４Ａ、１４Ａは、いずれもソケット２２に設けられる給電接片及び給電線を介してショーケース１本体内に設けられる電源と電気的に接続されることとなる。また、照明灯１４と同様に当該照明灯１４の周囲を囲繞する保温筒３０がソケット２２、２２によって、固定されることとなる。
【００３２】
そして、ソケット２２、２２を照明灯１４及び保温筒３０の端部に装着した状態で、棚８下面や陳列室５の天井面若しくはキャノピー１５の取付面に予め取り付けられたクリップ２３、２３にあてがう。クリップ２３の挟持部３２に下側からソケット２２の係合部２７を挿入し、当該挟持部３２の各挟持片３２Ａ、３２Ａ間に形成される係合部保持空間に係合部２７を収容する。
【００３３】
このとき、各挟持片３２Ａは、弾性材料にて構成されているため、各挟持片３２Ａを離間させながら容易にソケット２２の係合部２７を挿入することができると共に、当該挟持片３２Ａは、常に内方に付勢力が働く構成とされていることから、係合部２７を確実に保持することが可能となる。また、係合部２７も中程においてくびれを有する形状とされていることから、クリップ２３によって、容易に係合部２７を保持することが可能とされる。このように、照明灯１４の両端に取り付けられるソケット２２の係合部２７をクリップ２３の挟持部３２に係合させることで、照明灯１４は陳列室５内に取り付けられる。
【００３４】
ここで、クリップ２３は、上述したように、挟持部３２が照明灯１４の両端に設けられる受電用の端子ピン１４Ａ、１４Ａが正常に電気的に接続された状態の各ソケット２２、２２の係合部２７、２７の位置に来るように、予め設定された取付位置にそれぞれ固定される。
【００３５】
そのため、何れか一方、若しくは、両ソケット２２が照明灯１４に正常に装着されていないときは、両ソケット２２の位置は正常な場合（正規の位置）よりも照明灯１４の中心位置に対して外方にずれることになる。従って、その状態でクリップ２３にあてがうと、一方のクリップ２３が一方のソケット２２の係合部２７に対応した状態で、他方のクリップ２３は他方のソケット２２の係合部２７よりも内側に位置し、鍔部２６に当たってしまい係合できなくなる。
【００３６】
これにより、照明灯１４の両端に装着される両ソケット２２が正常に装着されていないときは、両ソケット２２の係合部２７に両クリップ２３を取り付けられなくなることで、この時点で、作業者は、ソケット２２が確実に照明灯１４に取り付けられていないことを発見することができるため、故障の発生を未然に回避することができる。
【００３７】
そして、作業者に、ソケット２２を照明灯１４の端部に正常に取り付け、照明灯１４の端子ピン１４Ａがソケット２２内の給電接片に正常に電気的に接続することを促すことができる。これにより、確実に照明灯１４の端子ピン１４Ａをソケット２２に取り付けた状態で照明灯１４の取付を行うことが可能となる。
【００３８】
従って、照明灯１４の端子ピン１４Ａとソケット２２の係合部２７内に設けられる給電接片との接触不良を未然に回避することができるようになり、信頼性が向上する。また、照明灯１４の点灯が確実に行われないという不都合や、端子ピン１４Ａが異常な温度にまで上昇し、当該端子ピン１４Ａやソケット２２が焼損してしまう不都合を回避することができるようになる。
【００３９】
尚、上記実施例では、各ソケット２２及び各クリップ２３は棚８下面に取り付けられる照明灯１４の取り付けに用いられるものとして詳述しているが、これいがいにも、キャノピー１５の取付面に取り付けられる照明灯１６についても同様に各ソケット２２及び各クリップ２３により、確実に正常な状態で取付を行うことができる。
【図面の簡単な説明】
【００４０】
【図１】低温ショーケースの斜視図である。
【図２】低温ショーケースの概略縦断側面図である。
【図３】照明灯の各取付部材の斜視図である。
【図４】照明灯の取付状態を示す正面図である。
【図５】照明灯の取付状態を示す平面図である。
【図６】照明灯の取付状態を示す側面図である。
【図７】クリップの断面図である。
【図８】クリップの正面図である。
【図９】クリップの平面図である。
【符号の説明】
【００４１】
１    低温ショーケース
５    陳列室
８    棚
１４、１６  照明灯
１５  キャノピー
２２  ソケット
２３  クリップ
２５  保持部
２６  鍔部
２７  係合部
２８  給電線
３０  保温筒
３１  固定部
３２  挟持部
３２Ａ  挟持片
【図１】
2007215572.tif 000003
【図２】
2007215572.tif 000004
【図３】
2007215572.tif 000005
【図４】
2007215572.tif 000006
【図５】
2007215572.tif 000007
【図６】
2007215572.tif 000008
【図７】
2007215572.tif 000009
【図８】
2007215572.tif 000010
【図９】
2007215572.tif 000011